(57)【要約】【課題】開路ばねを支持固定する操作機構部品を簡素な構成とし、部品点数の削減を図る。【解決手段】  真空バルブの可動側に連結された操作軸４と、操作軸４が中間部に連結されるとともに、一方端が主軸８に回動自在に固定された変換レバー６と、変換レバー６の他方端に固定された可動ピン１０と、可動ピン１０が両側面を貫通したＵ字状の可動側サポート２０と、可動ピン１０が移動自在に移動する開口部２２を中間部から一方端まで設けるとともに、可動側サポート２０のＵ字状の底面を貫通したばね支持柱２１と、ばね支持柱２１の他方端が固定された固定側サポート２３と、固定側サポート２３と可動側サポート２０とに挟持されるとともに、ばね支持柱２１の外周に設けられた開路ばね１５とを備えたことを特徴とする。【選択図】  図１
2014235950.tif 000002
【特許請求の範囲】
【請求項１】
真空バルブの可動側に連結されるとともに、架台を移動自在に貫通する操作軸と、
前記操作軸が中間部に連結されるとともに、一方端が主軸に回動自在に固定された変換レバーと、
前記変換レバーの他方端に回転自在に固定された可動ピンと、
前記可動ピンが両側面を貫通したＵ字状の可動側サポートと、
前記可動ピンが移動自在に移動する開口部を中間部から一方端まで設けるとともに、前記可動側サポートのＵ字状の底面を貫通したばね支持柱と、
前記ばね支持柱の他方端が固定されるとともに、前記架台に固定された固定側サポートと、
前記固定側サポートと前記可動側サポートとに挟持されるとともに、前記ばね支持柱の外周に設けられた開路ばねと、
を備えたことを特徴とする真空開閉器の操作機構。
【請求項２】
前記ばね支持柱は、中空の四角形状であることを特徴とする請求項１に記載の真空開閉器の操作機構。
【請求項３】
前記ばね支持柱を軸方向で二分割し、コ字状に折り曲げた鋼板を組み合わせたことを特徴とする請求項２に記載の真空開閉器の操作機構。
【請求項４】
前記ばね支持柱を軸方向で二分割し、Ｌ字状に折り曲げた鋼板を組み合わせたことを特徴とする請求項２に記載の真空開閉器の操作機構。
【請求項５】
前記ばね支持柱を軸方向で二分割し、端部に凸凹部を設けてＬ字状に折り曲げた鋼板を組み合わせたことを特徴とする請求項２に記載の真空開閉器の操作機構。
【発明の詳細な説明】
【技術分野】
【０００１】
本発明の実施形態は、操作ばねを用いた真空開閉器の操作機構に関する。
【背景技術】
【０００２】
従来、真空バルブをエポキシ樹脂でモールドした真空遮断器、真空断路器のような真空開閉器の操作機構には、操作ばねが用いられ、開閉操作が行われている（例えば、特許文献１参照。）。
【０００３】
この種の真空開閉器を図５に示すが、真空開閉器は、主回路部１ａと、対地間絶縁部１ｂと、操作機構部１ｃが図示横方向に直線状に配置され、構成されている。主回路部１ａには、主回路を開閉する真空バルブ２が設けられている。対地間絶縁部１ｂには、真空バルブ２の可動軸に連結された絶縁操作ロッド３が設けられている。
【０００４】
次に、操作機構部１ｃを側面図の図６（ａ）、上面図の（ｂ）を用いて説明する。
【０００５】
操作機構部１ｃには、絶縁操作ロッド３に連結された操作軸４が設けられ、架台５の開口穴を移動自在に貫通している。架台５は、操作機構の筐体を構成する部材となる。操作軸４端には、移動方向を変換する変換レバー６の中間部が回転自在の可動ピン７で固定されている。変換レバー６の一方端には、主軸８が固定され、変換レバー６を回動自在としている。他方端には、連結ブロック９が回転自在の可動ピン１０で固定されている。連結ブロック９の軸方向には、ナット１１を用いて寸法を微調整する寸法調整軸１２、ばね支持軸１３、ばね支持軸１３が移動自在に貫通して架台５に係止される円柱状の固定側サポート１４がそれぞれ連結、固定されている。ばね支持軸１３の外周には、開路ばね１５が設けられている。開路ばね１５は、寸法調整軸１２側の可動側ばね受け１６と、固定側サポート１４側の固定側ばね受け１７で挟持されている。
【０００６】
なお、図６は、閉路状態を示し、開路信号が入力されると、主軸８を支点に変換レバー６が開路ばね１５のばね力で反時計方向に回動する。同時に、操作軸４が図示左方向に移動し、真空バルブ２を開路させる。
【０００７】
これらの構成において、連結ブロック９、寸法調整軸１２、ばね支持軸１３、固定側サポート１４、ばね受け１６、１７などの可動部品は、組合せて一体化するため寸法精度が要求され、機械加工により製造されている。機械加工は、小ロット生産では段取りや加工時間において有効である。しかしながら、生産台数が増加すると、加工時間に多大の時間を要し、リードタイムの短縮が困難となる。更には、部品点数が多く、組立時間も多大となっていた。このため、開路ばね１５を支持固定する部品を簡素な構成とし、生産性を向上し得るものが望まれていた。
【先行技術文献】
【特許文献】
【０００８】
【特許文献１】特開２００３−３３３７１５号公報
【発明の概要】
【発明が解決しようとする課題】
【０００９】
本発明が解決しようとする課題は、開路ばね１５を支持固定する部品を簡素な構成として部品点数の削減を図り、生産性を向上することのできる真空開閉器の操作機構を提供することにある。
【課題を解決するための手段】
【００１０】
上記課題を解決するために、実施形態の真空開閉器の操作機構は、真空バルブの可動側に連結されるとともに、架台を移動自在に貫通する操作軸と、前記操作軸が中間部に連結されるとともに、一方端が主軸に回動自在に固定された変換レバーと、前記変換レバーの他方端に回転自在に固定された可動ピンと、前記可動ピンが両側面を貫通したＵ字状の可動側サポートと、前記可動ピンが移動自在に移動する開口部を中間部から一方端まで設けるとともに、前記可動側サポートのＵ字状の底面を貫通したばね支持柱と、前記ばね支持柱の他方端が固定されるとともに、前記架台に固定された固定側サポートと、前記固定側サポートと前記可動側サポートとに挟持されるとともに、前記ばね支持柱の外周に設けられた開路ばねと、を備えたことを特徴とする。
【図面の簡単な説明】
【００１１】
【図１】本発明の実施例１に係る真空開閉器の操作機構の構成を示す図。
【図２】本発明の実施例１に係るばね支持柱の構成を示す分解図。
【図３】本発明の実施例２に係るばね支持柱の構成を示す分解図。
【図４】本発明の実施例３に係るばね支持柱の構成を示す分解図。
【図５】真空開閉器の構成を示す側面図。
【図６】従来の真空開閉器の操作機構の構成を示す図。
【発明を実施するための形態】
【００１２】
以下、図面を参照して本発明の実施例を説明する。
【実施例１】
【００１３】
先ず、本発明の実施例１に係る真空開閉器の操作機構を図１、図２を参照して説明する。図１は、本発明の実施例１に係る真空開閉器の操作機構の構成を示す図であり、（ａ）は側面図、（ｂ）は上面図、図２は、本発明の実施例１に係るばね支持柱の構成を示す分解図である。なお、従来と同様の構成部分は、同一符号を付した。また、真空開閉器は、従来と同様であるので、説明を省略する。
【００１４】
図１に示すように、操作軸４は、架台５の開口穴を移動自在に貫通し、その端部に移動方向を変換する変換レバー６の中間部が回転自在の可動ピン７で固定されている。変換レバー６の一方端には、主軸８が固定され、変換レバー６を回動自在としている。他方端には、Ｕ字状に折り曲げた可動側サポート２０の両側面に可動ピン１０が貫通し、回転自在に固定している。可動側サポート２０には、Ｕ字状の底面に設けた開口部に、中空で断面四角形状のばね支持柱２１が移動自在に貫通している。
【００１５】
ばね支持柱２１の両側面には、Ｕ字状の開口部２２が中間部から一方端まで設けられ、可動ピン１０が移動自在に移動できるようになっている。可動ピン１０は、外周面が軸方向と平行に移動する。ばね支持柱２１の他方端は、中空で四角形状の固定側サポート２３内に嵌め込まれ、固定ピン２４で固定されている。固定側サポート２３は、架台５に固定されている。ばね支持柱２１の周りには、開路ばね１５が設けられ、可動側サポート２０の底部と固定側サポート２３の端面との間に挟持されている。
【００１６】
次に、ばね支持柱２１を図２を参照して説明する。
【００１７】
図２に示すように、ばね支持柱２１は、軸方向に二分割されており、鋼板をコ字状に折り曲げた第１のばね支持板２５ａと第２のばね支持板２５ｂをスポット溶接などで組立てられる。第１のばね支持板２５ａと第２のばね支持板２５ｂには、開口部２２に相当するＵ字状の第１、第２の開口部２６ａ、２６ｂと、固定ピン２４が貫通する第１、第２の貫通孔２７ａ、２７ｂが設けられている。開口部２６ａ、２６ｂ、貫通孔２７ａ、２７ｂ、およびコ字状の折り曲げは、プレス加工などで製造することができ、量産に適する。ばね支持柱２１は、断面円形状、多角形状でもよく、複数に分割したものを組立てるものとする。
【００１８】
なお、図１は、閉路状態を示し、開路信号が入力されると、主軸８を支点に変換レバー６が開路ばね１５のばね力で反時計方向に回動する。同時に、可動ピン１０が開口部２２を図示左方向に移動し、それに伴って操作軸４も図示左方向に移動し、真空バルブを開路させる。
【００１９】
上記実施例１の真空開閉器の操作機構によれば、開路ばね１５を可動側サポート２０、固定側サポート２３、ばね支持柱２１により支持固定することができるので、部品点数を削減することができる。また、ばね支持柱２１を第１のばね支持板２５ａと第２のばね支持板２５ｂを組合せて製造することができ、簡素な構成で生産性を向上させることができる。
【実施例２】
【００２０】
次に、本発明の実施例２に係る真空開閉器の操作機構を図３を参照して説明する。図３は、本発明の実施例２に係るばね支持柱の構成を示す分解図である。なお、この実施例２が実施例１と異なる点は、分割形状である。図３において、実施例１と同様の構成部分においては、同一符号を付し、その詳細な説明を省略する。
【００２１】
図３に示すように、ばね支持柱２１は、Ｌ字状に折り曲げた第１のばね支持板２５ａと第２のばね支持板２５ｂを組合せて組立てられる。第１のばね支持板２５ａと第２のばね支持板２５ｂには、それぞれＬ字状に開口した第１、第２の開口部２６ａ、２６ｂが設けられている。
【００２２】
上記実施例２の真空開閉器の操作機構によれば、実施例１と同様の効果を得ることができる。
【実施例３】
【００２３】
次に、本発明の実施例３に係る真空開閉器の操作機構を図４を参照して説明する。図４は、本発明の実施例３に係るばね支持柱の構成を示す分解図である。なお、この実施例３が実施例２と異なる点は、組合形状である。図４において、実施例２と同様の構成部分においては、同一符号を付し、その詳細な説明を省略する。
【００２４】
図４に示すように、ばね支持柱２１は、Ｌ字状に折り曲げた第１のばね支持板２５ａと第２のばね支持板２５ｂを組合せて組立てられる。第１のばね支持板２５ａと第２のばね支持板２５ｂの端部には、凸凹部２８ａ、２８ｂが設けられ、互いが嵌め込まれるようになっている。
【００２５】
上記実施例３の真空開閉器の操作機構によれば、実施例２と同様の効果のほかに、組合せを容易とすることができる。
【００２６】
以上述べたような実施形態によれば、開路ばねの支持固定を簡素な構成とすることができ、生産性を向上させることができる。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１ａ  主回路部
１ｂ  対地間絶縁部
１ｃ  操作機構部
２  真空バルブ
３  絶縁操作ロッド
４  操作軸
５  架台
６  変換レバー
１５  開路ばね
２０  可動側サポート
２１  ばね支持柱
２２、２６ａ、２６ｂ  開口部
２３  固定側サポート
２５ａ、２５ｂ  ばね支持板
２８ａ、２８ｂ  凸凹部
【図１】
2014235950.tif 000003
【図２】
2014235950.tif 000004
【図３】
2014235950.tif 000005
【図４】
2014235950.tif 000006
【図５】
2014235950.tif 000007
【図６】
2014235950.tif 000008